(57)【要約】【課題】延長コンセント、壁コンセント等の一般的な電源コンセントに接続して、サージ電流を吸収できるコンセント差込式サージ吸収器を提供すること。【解決手段】絶縁素材より成る中空のケース１と、基部がケース１に収納され、先端部がケース１から突出した第１導電片２及び第２導電片３と、ケース１内に収納されたサージ吸収部４とを備え、第１導電片２及び第２導電片３の先端部は、電源コンセントの差込口へ挿入可能なプラグ刃となっており、サージ吸収部４の外面は絶縁層４３で被覆され、サージ吸収部４の対向する面と第１導電片２及び第２導電片３とが、それぞれ第１接続ピン４１及び第２接続ピン４２を介して電気的に接続される。【選択図】図１
0003137410.tif 000002
【実用新案登録請求の範囲】
【請求項１】
絶縁素材より成る中空のケースと、基部が前記ケースに収納され、先端部が前記ケースから突出した第１導電片及び第２導電片と、前記ケース内に収納されたサージ吸収部とを備え、前記第１導電片及び第２導電片の先端部は、電源コンセントの差込口へ挿入可能なプラグ刃となっており、前記サージ吸収部の外面は絶縁層で被覆され、該サージ吸収部の対向する面と前記第１導電片及び第２導電片とが、それぞれ第１接続ピン及び第２接続ピンを介して電気的に接続されていることを特徴としたコンセント差込式サージ吸収器。
【請求項２】
前記ケース内に絶縁板が固定され、前記第１導電片及び第２導電片の基端部が前記絶縁板を貫通して固定されている前記請求項１に記載のコンセント差込式サージ吸収器。
【請求項３】
発光部材及び抵抗を直列接続したものと前記サージ吸収部とを、前記第１導電片及び第２導電片の間に並列接続した前記請求項１又は２に記載のコンセント差込式サージ吸収器。
【請求項４】
前記ケースの前記サージ吸収部と対応する位置に透明ウィンドウを設けた請求項１〜３のいずれかに記載のコンセント差込式サージ吸収器。
【請求項５】
前記サージ吸収部が複数設けられた請求項１〜４のいずれかに記載のコンセント差込式サージ吸収器。
【請求項６】
前記第１接続ピン及び第２接続ピンと前記第１導電片及び第２導電片との間に回路板が介在され、前記第１接続ピンと第１導電片、及び、前記第２接続ピンと第２導電片がそれぞれ回路板を介して電気的に接続されている請求項５に記載のコンセント差込式サージ吸収器。
【請求項７】
前記複数のサージ吸収部は保護カバーで囲まれて位置移動が規制されている請求項５又は６に記載のコンセント差込式サージ吸収器。
【考案の詳細な説明】
【技術分野】
【０００１】
本考案は、コンセント差込式サージ吸収器に関する。
【背景技術】
【０００２】
従来、回路に発生したサージによる爆発・燃焼を防止するためのサージ吸収装置が知られている。
例えば、特許文献１に開示されているサージ吸収装置は、ケース内に二つの電極片が設置され、各電極片に内側へ突出した当接部材が設けられ、二つの当接部材で裸サーズ吸収器を挟み込んで支持し、ケースに上蓋を被せるようになっている。
しかし、このサージ吸収装置は、回路板上に取り付けるものであって、一般家庭のコンセント等に適用することはできなかった。また、内部に設置された裸サージ吸収器が瞬間的なサージの通過で破裂や断裂を起こしていないか、パッケージの外側から判断することができなかった。裸サージ吸収器が破損した状態で使用を続けると、サージによる爆発・燃焼を防ぐという効果を発揮できない。
【０００３】
【特許文献１】台湾実用新案公告第３１５０６０号公報
【考案の開示】
【考案が解決しようとする課題】
【０００４】
本考案が解決しようとする課題は、延長コンセント、壁コンセント等の一般的な電源コンセントに簡単に接続して、サージ電流を吸収できるコンセント差込式サージ吸収器を提供することにある。
【課題を解決するための手段】
【０００５】
本考案のコンセント差込式サージ吸収器は、絶縁素材より成る中空のケースと、基部が前記ケースに収納され、先端部が前記ケースから突出した第１導電片及び第２導電片と、前記ケース内に収納されたサージ吸収部とを備え、前記第１導電片及び第２導電片の先端部は、電源コンセントの差込口へ挿入可能なプラグ刃となっており、前記サージ吸収部の外面は絶縁層で被覆され、該サージ吸収部の対向する面と前記第１導電片及び第２導電片とが、それぞれ第１接続ピン及び第２接続ピンを介して電気的に接続されている。
【０００６】
以下の構成を採用しても良い。
前記ケース内に絶縁板が固定され、前記第１導電片及び第２導電片の基端部が前記絶縁板を貫通して固定された構成。
発光部材及び抵抗を直列接続したものと前記サージ吸収部とを、前記第１導電片及び第２導電片の間に並列接続した構成。
前記ケースの前記サージ吸収部と対応する位置に透明ウィンドウを設けた構成。
前記サージ吸収部を複数設けた構成。
前記第１接続ピン及び第２接続ピンと前記第１導電片及び第２導電片との間に回路板が介在され、前記第１接続ピンと第１導電片、及び、前記第２接続ピンと第２導電片がそれぞれ回路板を介して電気的に接続された構成。
前記複数のサージ吸収部が、保護カバーで囲まれて位置移動が規制されている構成。
【考案の効果】
【０００７】
請求項１に係る考案によれば、第１導電片及び第２導電片の先端部に形成されたプラグ刃を差込口に抜挿するだけで、延長コンセント、壁コンセント等の一般的な電源コンセントに簡単に着脱することができ、電源コンセントが含まれる給電回路に発生したサージを吸収して、給電回路の入力電圧を安定させることが可能である。
請求項２に係る考案によれば、第１導電片及び第２導電片を安定して支持することができる。
【０００８】
請求項３に係る考案によれば、使用時に発光部材が点灯しているか消灯しているかを確認することによって、第１導電片と第２導電片との間に電圧が発生しているか、即ち、コンセント差込式サージ吸収器が正常に作動しているかを容易に知ることが可能である。
請求項４に係る考案によれば、サージ吸収器が破損している場合は、目視によって確認できるので、速やかに交換できる。
請求項５及び６に係る考案によれば、サージ吸収器の数を変えることにより、設置箇所等に応じて、異なるサージ吸収能力を持たせることができる。
請求項７に係る考案によれば、複数のサージ吸収部をケース内に整然と安定して収納することができる。
【考案を実施するための最良の形態】
【０００９】
図１及び図２は、本考案の実施例１を示す。
コンセント差込式サージ吸収器は、中空のケース１と、基部がケース１に収納され、先端部がケース１から突出した第１導電片２及び第２導電片３と、ケース１内に収納されたサージ吸収部４とを備える。
ケース１は、絶縁素材より成り、その内部には絶縁板５が固定されている。
第１導電片２及び第２導電片３の基端部は絶縁板５を貫通して固定され、第１導電片２及び第２導電片３のケース１から露出した先端部は、電源コンセントの差込口へ挿入可能なプラグ刃となっている。
【００１０】
サージ吸収部４は、酸化亜鉛等のサージ電圧を吸収する素材より成り、その外面は絶縁層４３で被覆してある。
また、サージ吸収部４の対向する面には、それぞれ第１接続ピン４１及び第２接続ピン４２の一端が接続され、第１接続ピン４１の他端は第１導電片２に接続され、第２接続ピン４２の他端は第２導電片３に接続されている。即ち、サージ吸収部４の対向する面は、第１接続ピン４１及び第２接続ピン４２を介して第１導電片２及び第２導電片３と電気的に接続されている。
【００１１】
このコンセント差込式サージ吸収器を使用する際は、第１導電片２及び第２導電片３のプラグ刃部分を電源コンセントの差込口に差し込んで、第１導電片２及び第２導電片３を電源コンセントの二つの電極端にそれぞれ接続する。
落雷等により電源コンセントを含む給電回路にサージが発生すると、第１導電片２及び第２導電片３を介してサージ吸収部４に電流が流れて吸収され、瞬間的な高電圧によって給電回路に接続された電気機器が破壊されるのを防ぐ。
【００１２】
図３及び図４は、本考案の実施例２を示す。
本実施例において、コンセント差込式サージ吸収器は、実施例１と同様に、ケース１Ａと、先端部がプラグ刃となっている第１導電片２Ａ及び第２導電片３Ａと、外面が絶縁層４３Ａで被覆されたサージ吸収部４Ａと、第１導電片２Ａ及び第２導電片３Ａを支持する絶縁板５Ａとを備える。
ケース１Ａのサージ吸収部４Ａと対応する位置に透明ウィンドウ１１Ａを設け、サージ吸収部４Ａが破損しているか否かを、ケース１Ａの外から目で確認できるようになっている。
【００１３】
また、発光素子等の発光部材６Ａ及び抵抗７Ａを直列に接続したものと、サージ吸収器４とを第１接続ピン４１Ａ及び第２接続ピン４２Ａの間に並列に接続してある。発光部材６Ａは、ケース１Ａの外から見える箇所へ設置する。
このコンセント差込式サージ吸収器を使用する際も、図４に示すように、第１導電片２Ａ及び第２導電片３Ａのプラグ刃部分を電源コンセントＡの差込口に差し込んで二つの電極端Ａ１に接続する。この時、発光部材６Ａの発光状況を目で確認することによって、サージ吸収部４Ａへ電圧信号の入力があるか否かを知ることができる。即ち、コンセント差込式サージ吸収器が正常に作動しているときは発光部材６Ａが点灯し、作動していないときは発光部材６Ａが消灯する。
その他の構成及び使用方法は、実施例１と変わるところは無い。
【００１４】
図５〜図７は、本考案の実施例３を示す。
図５及び図７に示すように、コンセント差込式サージ吸収器は、実施例２と同様に、ケース１Ｂと、先端部がプラグ刃となっている第１導電片２Ｂ及び第２導電片３Ｂと、第１導電片２Ｂ及び第２導電片３Ｂを支持する絶縁板５Ｂとを備える。
ケース１Ｂの内部には回路板７Ｂ及び複数のサージ吸収部４Ｂが収納される。これらサージ吸収部４Ｂの外面は絶縁層４３Ｂで被覆され、回路板７Ｂ上に平行に設置される。
また、サージ吸収部４Ｂは保護カバー８Ｂで囲まれて位置移動が規制される。保護カバー８Ｂはケース１の内部に固定されている。
【００１５】
ケース１Ｂにおいて、複数のサージ吸収部４Ｂと対応する位置には、これらサージ吸収部４Ｂが破損していないかを目で確認できるように、透明ウィンドウ１１Ｂが設けられる。
全てのサージ吸収部４Ｂの対向する面には、それぞれ第１接続ピン４１Ｂ及び第２接続ピン４２Ｂの一端が接続され、第１接続ピン４１Ｂ及び第２接続ピン４２Ｂの他端は回路板７Ｂに接続されている。
また、発光部材７３Ｂと抵抗７４Ｂとを直列に接続したものが回路板７Ｂに接続されている。
【００１６】
回路板７Ｂは、第１導電体７１Ｂを介して第１導電片２Ｂに電気的に接続されると共に、第２導電体７２Ｂを介して第２導電片３Ｂに電気的に接続されている。
即ち、図６に示すように、発光部材７３Ｂ及び抵抗７４Ｂを直列に接続したものと、全てのサージ吸収部４Ｂが、第１導電片２Ｂと第２導電片３Ｂとの間に並列に接続されている。
その他の構成及び使用方法は、実施例２とほぼ同様である。
【図面の簡単な説明】
【００１７】
【図１】本考案の実施例１を示すコンセント差込式サージ吸収器の分解斜視図。
【図２】本考案の実施例１を示すコンセント差込式サージ吸収器の正断面図。
【図３】本考案の実施例２を示すコンセント差込式サージ吸収器の側断面図。
【図４】本考案の実施例２を示すコンセント差込式サージ吸収器の使用状態における正断面図。
【図５】本考案の実施例３を示すコンセント差込式サージ吸収器の側断面図。
【図６】本考案の実施例３に係る
【図７】本考案の実施例３を示すコンセント差込式サージ吸収器の分解斜視図。
【符号の説明】
【００１８】
１，１Ａ，１Ｂ  ケース
２，２Ａ，２Ｂ  第１導電片
３，３Ａ，３Ｂ  第２導電片
４，４Ａ，４Ｂ  サージ吸収部
４１，４１Ａ，４１Ｂ  第１接続ピン
４２，４２Ａ，４２Ｂ  第２接続ピン
４３，４３Ａ，４３Ｂ  絶縁層
５，５Ａ，５Ｂ  絶縁板
６Ａ  発光部材
７Ａ  抵抗
７Ｂ  回路板
７１Ｂ  第１導電体
７２Ｂ  第２導電体
７３Ｂ  発光部材
７４Ｂ  抵抗
８Ｂ  保護カバー
１１Ａ，１１Ｂ  透明ウィンドウ
Ａ  電源コンセント
Ａ１  電極端
【図１】
0003137410.tif 000003
【図２】
0003137410.tif 000004
【図３】
0003137410.tif 000005
【図４】
0003137410.tif 000006
【図５】
0003137410.tif 000007
【図６】
0003137410.tif 000008
【図７】
0003137410.tif 000009